(57)【要約】【課題】シールリップの反転発生が容易かつ確実に検出し得る識別構造をシールリップに備えた軸受シールを提供する。【解決手段】ダストシールとして機能する第一のシールリップＳＲ１を備えるとともに、転動体６を介して相対回転可能に構成された回転部材３と固定部材４との間に組み込まれ、該回転部材３と固定部材４との間に形成される軸受内空間を、前記シールリップＳＲ１によって密封する軸受シールであって、シールリップＳＲ１には、該リップが適正に組み込まれていないことが識別可能な識別構造１０を備えている。識別構造１０は、シールリップＳＲ１が反転した際に、該シールリップＳＲ１の引張応力が掛かる所定領域に、着色の流体１２を収納した破壊可能な収納空間１１が備えられ、前記収納空間１１が破壊されて着色の流体１２が流出する構造とした。【選択図】図１
2008025806.tif 000002
【特許請求の範囲】
【請求項１】
少なくとも１つの接触シールリップを備えるとともに、転動体を介して相対回転可能に構成された回転部材と固定部材との間に組み込まれ、該回転部材と固定部材との間に形成される軸受空間を、前記接触シールリップによって密封する軸受シールであって、
接触シールリップには、該リップが適正に組み込まれていないことが識別可能な識別構造を備えたことを特徴とする軸受シール。
【請求項２】
識別構造は、接触シールリップが反転した際に、該シールリップの引張応力が掛かる所定領域に、破壊可能なケース内に収納された着色の流体が備えられ、
接触シールリップが反転した際に、前記ケースが破壊されて着色の流体が流出する構造であることを特徴とする請求項１に記載の軸受シール。
【請求項３】
識別構造は、接触シールリップが反転した際に、該シールリップの引張応力が掛かる所定領域に、収納空間が内設されるとともに、該収納空間に着色の流体が収納されており、
接触シールリップが反転した際に、前記収納空間が破壊されて着色の流体が流出する構造であることを特徴とする請求項１に記載の軸受シール。
【請求項４】
着色の流体を収納した破壊可能なケースは、接触シールリップが反転した際に、該シールリップの引張応力が掛かる所定領域に設けられた収納空間に内装されており、
接触シールリップが反転した際に、前記収納空間及びケースが破壊されて着色の流体が流出する構造であることを特徴とする請求項２に記載の軸受シール。
【請求項５】
識別構造は、接触シールリップが反転した際に、該シールリップの引張応力が掛かる所定領域に、破壊可能なケース内に収納された臭気を放つ気体が備えられ、
接触シールリップが反転した際に、前記ケースが破壊されて臭気を放つ気体が流出する構造であることを特徴とする請求項１に記載の軸受シール。
【請求項６】
識別構造は、接触シールリップが反転した際に、該シールリップの引張応力が掛かる所定領域に収納空間が内設されるとともに、該収納空間に臭気を放つ気体が収納されており、
接触シールリップが反転した際に、前記収納空間が破壊されて臭気を放つ気体が流出する構造であることを特徴とする請求項１に記載の軸受シール。
【請求項７】
臭気を放つ気体を収納した破壊可能なケースは、接触シールリップが反転した際に、該シールリップの引張応力が掛かる所定領域に設けられた収納空間に内装されており、
接触シールリップが反転した際に、前記収納空間及びケースが破壊されて臭気を放つ気体が流出する構造であることを特徴とする請求項５に記載の軸受シール。
【請求項８】
識別構造を有するシールリップは、ダストリップとグリースリップのいずれか一方若しくは双方であることを特徴とする請求項１乃至７のいずれかに記載の軸受シール。
【請求項９】
転動体を介して相対回転可能に構成され、軸受シールを内周面に固定して備える固定部材と、該シールの少なくとも１つのシールリップが摺接するリップ摺動面を持つ回転部材を有し、ダストや異物が浸入する方向から前記回転部材が挿入され、前記シールリップに、回転部材のリップ摺動面を摺接させつつ組み込むことにより構成される軸受ユニットにおいて、
前記シールが、請求項１乃至８のいずれかに記載の軸受シールであることを特徴とする軸受ユニット。
【請求項１０】
転動体を介して相対回転可能に構成され、軸受シールを内周面に固定して備える固定部材と、該シールの少なくとも１つのシールリップが摺接するリップ摺動面を持つ回転部材を有し、ダストや異物が浸入する方向から前記シールが挿入され、前記シールリップを回転部材のリップ摺動面に摺接させつつ組み込むことにより構成される軸受ユニットにおいて、
前記シールが、請求項１乃至８のいずれかに記載の軸受シールであることを特徴とする軸受ユニット。
【請求項１１】
ハブユニット軸受であることを特徴とする請求項９又は１０に記載の軸受ユニット。
【発明の詳細な説明】
【技術分野】
【０００１】
本発明は、接触シールリップを備え持つ軸受シールの改良、詳しくは、接触シールリップの反転発生を検出し得るシールリップ構造に関する。
【背景技術】
【０００２】
例えば、自動車の車輪支持に用いられるハブユニット軸受（軸受ユニット）として、例えば、図５に示す構成が知られている。この図示例のユニットは、内輪回転タイプの従動輪用ハブユニット軸受の一例で、回転部材と固定部材にそれぞれフランジが備えられているいわゆる第三世代（ＨＵＢIIIともいう。）として区別される形式である。
すなわち、円板状のフランジ１ａをアウトボード側の外周に周設するとともに一列の軌道面１ｃを外周に有したハブ（スピンドル）１と、該ハブ１のインボード側外周に嵌め込まれ、前記軌道面１ｃと隣接する一列の軌道面２ｃを有した別体内輪２とで構成される回転部材（内輪）３と、円板状のフランジ４ａを外周に周設するとともに前記回転部材３の複数列の軌道面１ｃ，２ｃと対向する複数列の軌道面４ｃ，４ｃを有して回転部材３よりも大径に形成し、相対回転可能に配設された固定部材（外輪）４と、前記回転部材３の軌道面１ｃ，２ｃと固定部材４の軌道面４ｃ，４ｃとの間に保持器５を介して組み込まれる複数個の転動体（玉）６と、回転部材３と固定部材４の端部領域Ｆ１に組み込まれて、回転部材３と固定部材４の間の環状の軸受内空間Ｊを密封するシール（アウトボード側に備えられる接触のシール）Ｓとで構成されている。
図示例では、固定部材４のインボード側端部の内周面にハブキャップＨＣを嵌合固定してインボード側の端部領域Ｆ２を外部と密封しているためこの領域Ｆ２へのシールが省略されている。
そして、ハブ１のフランジ１ａにハブボルトＢを介して図示しないホイールが一体的に取り付けられ、固定部材４のフランジ４ａを図示しない車体側に固定される。
【０００３】
この種の軸受ユニットでは、複数枚のシールリップを持つ接触のシールＳが組み込まれている。例えば、図示例のシールＳは、固定部材４の内周面に嵌合される円筒部ＳＫ１及び、該円筒部ＳＫ１から半径方向に延設される円板部ＳＫ２とで構成された芯金ＳＫと、該芯金ＳＫの円板部ＳＫ２のアウトボード側対向面を被覆して加硫成形されたゴム被覆部（弾性部材）Ｇと、該ゴム被覆部Ｇの加硫成形時に、それぞれ所定位置から円環状に延設されて一体に加硫成形される３枚のゴム製のシールリップとで構成されている（図６参照）。
シールリップは、図６に示すように、前記円板部ＳＫ２の内径位置に存するゴム被覆部Ｇから二又状に延設された第一のシールリップ（ダストリップ）ＳＲ１と第二のシールリップ（グリースリップ）ＳＲ２、及び前記円板部ＳＫ２の半径方向略中央位置に存するゴム被覆部Ｇから延設されたサイドリップとしての第三のシールリップ（ダストリップ）ＳＲ３である。
第一のシールリップＳＲ１は、二又状の分岐部ＢＫ位置からアウトボード側に向けて傾斜し（外向き）、ハブ１の外周面１ｅと摺接する。第二のシールリップＳＲ２は、前記二又状の分岐部ＢＫ位置からインボード側に向けて傾斜し（内向き）、ハブ１の外周面１ｅと摺接する。第三のシールリップＳＲ３は、アウトボード側に向けて拡開状に傾斜し、フランジ１ａの立上り面１ｂと摺接する。
【０００４】
この種の軸受ユニットの組立工程は、例えば、まず固定部材４の軌道面４ｃ，４ｃに転動体６，６と保持器５，５が組み込まれる。
次に、固定部材４のアウトボード側内周面４ｂにアウトボード側のシールＳが組み込まれる。
そして次に、ハブ（スピンドル）１が、固定部材４のアウトボード側から、シールＳの第一のシールリップＳＲ１及び第二のシールリップＳＲ２の内径部分を、その外周面１ｅに摺接させつつ組み合わせていく。
【０００５】
しかし、第一のシールリップＳＲ１はダストシールとして機能させるため、外向き構成としているがゆえに、例えばハブ（スピンドル）１の組み込み時に、固定部材４とハブ（スピンドル）１の芯がずれると、その第一のシールリップＳＲ１が反転してしまい、適正に組み込まれないという不都合が生じてしまう。
このようなリップＳＲ１の反転がおきると、シール機能が著しく低下し、例えば軸受内空間に泥水などが浸入して軸受が所期の寿命を全うすることができなくなるという問題が生じ得る。
【０００６】
そこで、この問題に関し、例えば特許文献１に開示の技術が提供されている。
特許文献１は、例えば図７に示すように、ハブ（スピンドル）の溝肩１ｄとフランジ１の立上り面１ｂとの間に、テーパ面Ｔを設けて、第一のシールリップＳＲ１の案内をスムースに行わしめようと試みている。
【０００７】
しかし、アウトボード側に備えられる第一のシールリップＳＲ１は、高い泥水耐久性が要求されるために、リップのしめしろが大きく、緊迫力が高い。従って、特許文献１に開示のテーパ面Ｔを付与した構成としてもリップの反転を防ぐことはできない。もちろん、しめしろを小さくして緊迫力を低くすればリップの反転発生率を抑えることも可能であるがシール機能上到底なしえない。
【０００８】
そこで本発明者は、シールリップが反転したとき、その反転の発生を簡易かつ確実に検出し得ないかという点に着目した。
特に、このようなハブユニット軸受の第一のシールリップＳＲ１のように、外部から視認不可能な位置にあるものの場合、反転を確認する有効な手段が無かった。
また、このような泥水浸入を防止するシールの場合、強靭さを得るために、カーボンブラックが含有されており、通常黒色に形成されている。よって、例えば図８の軸受（深溝玉軸受）のように、目視で確認できる位置にある第二のシールリップＳＲ２であっても、リップが黒色であるがゆえに、目視での反転検出は困難であった。
【特許文献１】特許第３６４０７８６号公報
【発明の開示】
【発明が解決しようとする課題】
【０００９】
本発明は、このような課題を解決するためになされており、その目的は、シールリップの反転発生が簡易かつ確実に検出し得る識別構造をシールリップに備えた軸受シールを提供することにある。
【課題を解決するための手段】
【００１０】
このような目的を達成するために、本発明の第１の発明は、少なくとも１つの接触シールリップを備えるとともに、転動体を介して相対回転可能に構成された回転部材（軸）と固定部材（外輪）との間に組み込まれ、該回転部材と固定部材との間に形成される軸受空間を、前記接触シールリップによって密封する軸受シールであって、接触シールリップには、該リップが適正に組み込まれていないことが識別可能な識別構造を備えたことを特徴とする軸受シールとしたことである。
【００１１】
第２の発明は、第一の発明において、識別構造は、接触シールリップが反転した際に、該シールリップの引張応力が掛かる所定領域に、破壊可能なケース内に収納された着色の流体が備えられ、接触シールリップが反転した際に、前記ケースが破壊されて着色の流体が流出する構造であることを特徴とする軸受シールとしたことである。
【００１２】
第３の発明は、第１の発明において、識別構造は、接触シールリップが反転した際に、該シールリップの引張応力が掛かる所定領域に、収納空間が内設されるとともに、該収納空間に着色の流体が収納されており、接触シールリップが反転した際に、前記収納空間が破壊されて着色の流体が流出する構造であることを特徴とする軸受シールとしたことである。
【００１３】
第４の発明は、第２の発明において、着色の流体を収納した破壊可能なケースは、接触シールリップが反転した際に、該シールリップの引張応力が掛かる所定領域に設けられた収納空間に内装されており、接触シールリップが反転した際に、前記収納空間及びケースが破壊されて着色の流体が流出する構造であることを特徴とする軸受シールとしたことである。
【００１４】
第５の発明は、第１の発明において、識別構造は、接触シールリップが反転した際に、該シールリップの引張応力が掛かる所定領域に、破壊可能なケース内に収納された臭気を放つ気体が備えられ、接触シールリップが反転した際に、前記ケースが破壊されて臭気を放つ気体が流出する構造であることを特徴とする軸受シールとしたことである。
【００１５】
第６の発明は、第１の発明において、識別構造は、接触シールリップが反転した際に、該シールリップの引張応力が掛かる所定領域に収納空間が内設されるとともに、該収納空間に臭気を放つ気体が収納されており、接触シールリップが反転した際に、前記収納空間が破壊されて臭気を放つ気体が流出する構造であることを特徴とする軸受シールとしたことである。
【００１６】
第７の発明は、第５の発明において、臭気を放つ気体を収納した破壊可能なケースは、接触シールリップが反転した際に、該シールリップの引張応力が掛かる所定領域に設けられた収納空間に内装されており、接触シールリップが反転した際に、前記収納空間及びケースが破壊されて臭気を放つ気体が流出する構造であることを特徴とする軸受シールとしたことである。
【００１７】
第８の発明は、第１乃至７のいずれかの発明において、識別構造を有するシールリップは、ダストリップとグリースリップのいずれか一方若しくは双方であることを特徴とする軸受シールとしたことである。
【００１８】
第９の発明は、転動体を介して相対回転可能に構成され、軸受シールを内周面に固定して備える固定部材と、該シールの少なくとも１つのシールリップが摺接するリップ摺動面を持つ回転部材を有し、ダストや異物が浸入する方向から前記回転部材が挿入され、前記シールリップに、回転部材のリップ摺動面を摺接させつつ組み込むことにより構成される軸受ユニットにおいて、前記シールが、第１乃至第８のいずれかの発明の軸受シールであることを特徴とする軸受ユニットとしたことである。
【００１９】
第１０の発明は、転動体を介して相対回転可能に構成され、軸受シールを内周面に固定して備える固定部材と、該シールの少なくとも１つのシールリップが摺接するリップ摺動面を持つ回転部材を有し、ダストや異物が浸入する方向から前記シールが挿入され、前記シールリップを回転部材のリップ摺動面に摺接させつつ組み込むことにより構成される軸受ユニットにおいて、前記シールが、第１乃至第８のいずれかの発明の軸受シールであることを特徴とする軸受ユニットとしたことである。
【００２０】
第１１の発明は、第９又は第１０の発明の軸受ユニットがハブユニット軸受であることを特徴とする軸受ユニットとしたことである。
【発明の効果】
【００２１】
本発明によれば、シールリップの反転発生が容易かつ確実に検出し得る識別構造をシールリップに備えた軸受シールが提供できた。よって、適正な軸受シールの組み込み管理が確実に成し得るため製品の品質向上となる。
【発明を実施するための最良の形態】
【００２２】
以下、本発明の一実施形態について、添付図面を参照して説明する。なお、本実施形態は、本発明の一実施形態にすぎずなんらこれに限定解釈されるものではなく、本発明の範囲内で設計変更可能である。本実施例では本発明の一例として、本明細書の背景技術の欄にて説明した図５に示す自動車の車輪支持用ハブユニット軸受をもって説明するが、その他の軸受構成にも採用可能である。本実施例では従動輪用の軸受をもって説明するが、駆動輪用であってもよい。また、車輪の一例として自動車の車輪をもって説明するが、単なる一例であって鉄道車両の車輪などその他の車輪であってもよい。
なお、以下の本実施例の説明では、本発明の特徴的な構成部分についての説明に留め、その他の構成、すなわち、シールＳの基本的な構成を含め、ハブユニット軸受の構成については先の背景技術の欄にて説明した図５に示す自動車の車輪支持用ハブユニット軸受構成と同様であるため、その説明を援用し、ここでの詳細な説明は省略する。
「実施例１」
【００２３】
図１は、本発明の特徴的構成を備えた軸受シールを組み込むハブユニット軸受の主要部の拡大図である。
本実施例は、予め第一のシールリップＳＲ１を備え持つシールＳを固定部材４としての外輪のアウトボード側の内周面４ｂに組み込んでおき、ダストや異物が浸入する方向、すなわちアウトボード側から回転部材３としてのハブ（スピンドル）１が挿入され、第一のシールリップＳＲ１に、ハブ（スピンドル）１の外周面（リップ摺動面）１ｅを摺接させつつ組み込む形式（図１（ａ）→図１（ｂ））の軸受ユニットの場合における実施の一例である。
すなわち、本実施例では、ハブ（スピンドル）１を組み込む際に発生する前記第一のシールリップＳＲ１の反転（図１（ｂ）状態）を検出するために、第一のシールリップＳＲ１の所定領域に、該リップが反転し、適正に組み込まれていないことが簡易かつ確実に識別可能な識別構造１０を備えている。
【００２４】
識別構造１０は、例えば、第一のシールリップＳＲ１の所定領域に備えられており、そのリップが反転した際に着色の流体１２が流出し、流出した流体１２を確認することでリップ反転の有無を検出する構造としている。
具体的には、例えば、図２（ａ）の要部拡大図に示すように、第一のシールリップＳＲ１が反転した際に、該シールリップＳＲ１の引張応力が掛かる所定領域、すなわちシールリップＳＲ１の摺接面１３とは逆側の面１４の表面近傍に、シールリップＳＲ１の周方向に連続した円環状の収納空間（カプセル状の空間）１１を内設し、該収納空間１１に所定量の着色の流体（塗料）１２を収納する。
【００２５】
従って、本実施例のハブユニット軸受の組立工程において、第一のシールリップＳＲ１が反転した状態で組み込まれれば、前記引張応力によって収納空間１１が破壊されて着色の流体１２が外部に流出する（破壊状態を示す図１（ｂ）及び図２（ｂ）を参照。）。
このように流出した着色の流体１２の有無を確認することで、シールリップＳＲ１の反転発生が簡易かつ確実に検出し得る。
【００２６】
シールリップの表面近傍に内設された前記収納空間１１は、リップ反転時に破壊可能な構成である必要があり、例えば本実施例では、図２（ａ）に示すように、収納空間１１の直上の表面１４ａのゴム肉厚を薄く形成している。従って、その薄肉のゴム表面１４ａ領域に引張応力が掛かればその領域のゴムが破壊され、収納空間１１内の着色の流体１２が外部に流出する。
また、本実施例では、図２（ａ）に示すように、その収納空間１１の直上表面１４ａの所定領域に凹みなどの所定の切り込み１５などを設けておくなどしてもよく、反転時に引張応力が収納空間１１の直上表面１４ａに掛かった時に、破壊可能な構成であれば本発明の範囲内で設計変更可能である。
さらに、シールリップの表面１４ａ領域に収納空間１１を凹設し、所定量の流体１２を収納するとともに、表面１４ａに開口する開口側を別途薄肉のカバーで被覆する構造としてもよい。
【００２７】
この収納空間１１は、リップの周方向に連続して内設されている形態に何等限定して解釈されるものではなく、断続的に内設されていて、それぞれの収納空間に着色の流体１２が収納されている構成であっても本発明の範囲内である。
【００２８】
流体１２は、反転を検出すべくシールリップの位置とその検出方法で適宜変更する必要がある。
例えば、本実施例の第一のシールリップＳＲ１の反転を検出する場合には、グリースと混ざり易い性質を備えた油性蛍光材料を着色の流体（塗料）１２として用いている。
また、極度にグリースと混ざり難い水溶性の油性蛍光材料を塗料として用いることも可能である。
【００２９】
次に、本実施例の軸受ユニットの組立工程を説明し、その工程中において第一のシールリップＳＲ１が反転して組み込まれた場合、その反転発生状態を検出する方法について、図１、図２及び図６を用いて説明する。
例えば、まず固定部材４としての外輪の軌道面４ｃ，４ｃに転動体６，６と保持器５，５が組み込まれる。
次に、固定部材４のアウトボード側内周面４ｂに、第一のシールリップＳＲ１，第二のシールリップＳＲ２，第三のシールリップＳＲ３を備え持つアウトボード側のシールＳが組み込まれる。
【００３０】
そして次に、ダストや異物が浸入する方向、すなわちアウトボード側から回転部材３としてのハブ（スピンドル）１が挿入され、第一のシールリップＳＲ１に、ハブ（スピンドル）１の外周面（リップ摺動面）１ｅを摺接させつつ組み込んでいく（図１（ａ）→図１（ｂ））。
【００３１】
そして、例えば予圧確認や音響、トルクの確認のために回転部材３を回転せしめた後に、ブラックライトを照らしてグリースの蛍光性の有無を確認する。
すなわち、ハブ（スピンドル）１の組み込み時に第一のシールリップＳＲ１が反転していた場合には、該シールリップＳＲ１に備えられている識別構造１０の収納空間１１が、反転時の引張応力により破壊される（破壊状態を示す図２（ｂ）参照。）。
そして、その破壊作動により収納空間１１内に収納されていた着色の流体（例えば油性蛍光材料）１２が外部に流出し、その油性蛍光材料がグリースと混ざるため、ブラックライトを照らしてグリースの蛍光性の有無を確認すれば、シールリップの反転有無が容易かつ確実に検出できる。
なお、上記品質確認のための回転動作のみだけでは、蛍光材料がグリースと十分に混ざり合わない場合には、さらに攪拌のための回転を与えてもよい。
「変形例１」
【００３２】
着色の流体１２は、引張応力が掛かった際に破壊可能な図示しないケース内に収納されて、シールリップＳＲ１の摺動面１３と逆側の表面１４における反転時の引張応力が掛かる表面１４ａ位置に固着して備えられている構造とすることもできる。
破壊可能なケースは、例えば薄肉のビニル樹脂製ケースなど、引張応力が掛かった際に容易に破壊可能なものであればよく、例えばケースに所定の切り込みなどを設けるなどの構成を採用してもよく、特に限定解釈はされない。
「変形例２」
【００３３】
また、特に図示しての説明はしないが、着色の流体１２を収納した破壊可能なケースは、第一のシールリップＳＲ１が反転した際に、前記シールリップＳＲ１の引張応力が掛かる所定領域に設けられた上述の収納空間１１に内装される構造としてもよい。
「変形例３」
【００３４】
着色の流体１２に代えて、臭気を放つ気体（香料など）を採用することもでき、本発明の範囲内である。
このような臭気を放つ気体の収納構造は、前記着色の流体１２を収納する構造と同様の構造が採用可能であり、また作用効果も同様であるため、本変形例では着色の流体１２を収納する構造およびその作用効果については、実施例１の説明を援用しここでの詳細な説明は省略する。
【００３５】
臭気を放つ気体は、強烈な異臭を放つ気体であっても構わないが、周囲の環境にあり得ない臭いであれば特に限定解釈はされない。また、本願の特許請求の範囲や明細書中にて臭気とは、心地良くない臭いは勿論のこと例えばレモンやミントの香りなどの心地良い匂いも含めるものと定義される。
「変形例４」
【００３６】
さらに、着色の流体１２が臭気を放つ構成とすれば、着色の流体１２の有無を視覚により確認することができるとともに、臭気の有無を嗅覚により確認することもできるため、二重の反転検出チェックが成し得、有効である。
【００３７】
識別構造１０は、シールリップの周方向に一箇所であるものに限定されず、引張応力の掛かる領域内に複数個設けるものとすることも可能である。
実施例１（変形例１乃至３を含む。以下同じ。）では、上述した第一のシールリップＳＲ１の反転を検出するために、第一のシールリップＳＲ１にのみ識別構造１０を備える構成としているが、第二のシールリップＳＲ２や第三のシールリップＳＲ３に識別構造１０を備える構成であってもよく、この場合にあっても、それぞれのシールリップが反転した時の引張応力が掛かる位置に識別構造１０が備えられる。
【００３８】
また、実施例１では、アウトボード側（車輪側）のシールＳにのみ着目しているが、インボード側（車体側）のシールにあっても同一構成のシールが採用可能である。
なお、図示したシールＳの基本的な構成は、単なる一例であって、軸受内に封入した潤滑剤(例えば、グリース、油)が軸受外部に漏洩したり、異物(例えば、水、ダストなど)が軸受内部に浸入したりすることを防止可能な接触のシールリップを備えた周知のシール構成が本発明の範囲内で適宜選択される。
少なくとも１つの接触のシールリップを備え持つ軸受シールであればよく、芯金やシールリップの数量・配設位置なども設計変更可能である。また、接触のシールリップと非接触のシールリップとの組み合わせによる形態であっても構わない。
また実施例１では、シールリップ２１がゴム材からなるもので説明したが軟質樹脂材からなるものであってもよい。芯金２０の全部をゴム又は軟質樹脂材で被覆するものであってもよい。さらに、所定のシールリップを複数リップからなる構成としてもよい。
また、特に図示はしないが、背面組合せ軸受の外輪を一体化した複列アンギュラ玉軸受又は複列円すいころ軸受（第一乃至第三世代以降も含む）に本発明を適用することも可能である。実施例１では、内輪回転の形態であるが、外輪回転の場合であっても適用可能である。
「実施例２」
【００３９】
図３は、本発明の実施例２を示す概略断面図である。
本実施例では、略実施例１と同様の組立工程を採用している深溝玉軸受に組み込まれるシールＳの第一のシールリップＳＲ１（メインリップとなるダストシールリップ）に識別構造１０を備えた実施の一例である。また、本実施例では、第一のシールリップＳＲ１の反転時に引張応力が掛かる表面１４ａ領域に、周方向に連続した識別構造１０を２個並設している。
【００４０】
本実施例のように、グリースの確認がし易い軸受形状の場合、実施例１のように、蛍光材料やブラックライトを用いずとも、単にグリースや摺動面の着色がなされるだけで目視による反転の検出が可能である。
第一のシールリップＳＲ１においては、シールリップＳＲ１の黒色とコントラストの強い色の塗料、例えば白色や淡いピンク色などの塗料を着色の流体１２として用いれば、そのコントラストの強い塗料がシールリップＳＲ１の反転部位に着色されるため反転の有無が検出され易い。
【００４１】
なお、その他の構成及び作用効果は実施例１と同様であるため、同一箇所に同一符号を付してここでの説明は省略する。
「実施例３」
【００４２】
図４は、本発明の実施例３を示す概略断面図である。
本実施例では、回転部材３としての内輪と固定部材４としての外輪の間に転動体６を組み込み、そしてその後、ダストや異物が浸入する方向（図面で右方向）からシールＳが挿入され、前記シールＳのシールリップ（第一のシールリップＳＲ１と第二のシールリップＳＲ２）を回転部材３の外周面（リップ摺動面）１ｄに摺接させつつ組み込むことにより構成される軸受形式（深溝玉軸受）の一実施例で、本実施例では、シールＳの組み込み方向（軸受内方）に向いた第二のシールリップＳＲ２に識別構造１０が備えられている。
【００４３】
すなわち、本実施例では、第二のシールリップＳＲ２がシールＳの組み込み方向（軸受内方）に向いており、リップの反転が発生し易いため、識別構造１０を備えている。
図４（ａ）はシールＳの組み込み初期段階、（ｂ）は第二のシールリップＳＲ２が反転し、識別構造１０の収納空間１１が破壊されて着色の流体１２が流出している状態を示す。なお、その他の構成及び作用効果は実施例１と同様であるため、同一箇所に同一符号を付してここでの説明は省略する。
【図面の簡単な説明】
【００４４】
【図１】本実施例のハブユニット軸受の要部であるシール部分を拡大して示し、（ａ）は回転部材の外周面を第一のシールリップに摺接させつつ組み込んでいく状態で、いまだ第一のシールリップが反転していない状態、（ｂ）は第一のシールリップが反転し、識別構造の収納空間が破壊されて着色の流体が流出している状態を示す概略拡大断面図である。
【図２】（ａ）は識別構造を備えている第一のシールリップの要部拡大断面図、（ｂ）は識別構造を構成する収納空間が破壊され、着色の流体が流出している状態を示す要部拡大断面図である。
【図３】（ａ）は外輪の組み込み状態で第一のシールリップが未だ反転していない状態、（ｂ）は第一のシールリップが反転し、識別構造の収納空間が破壊されて着色の流体が流出している状態を一部省略して示す概略拡大断面図である。
【図４】（ａ）はシールＳの組み込み初期段階で第二のシールリップが未だ反転していない状態、（ｂ）は第二のシールリップが反転し、識別構造の収納空間が破壊されて着色の流体が流出している状態を一部省略して示す概略拡大断面図である。
【図５】ハブユニット軸受の一例を示す概略断面図である。
【図６】ハブユニット軸受に組み込まれている従来のシール断面図である。
【図７】特許文献１に開示の技術を示す部分拡大断面図である。
【図８】他の軸受形式の一例として挙げられる深溝玉軸受の一部を省略して示す概略拡大断面図である。
【符号の説明】
【００４５】
３  回転部材（内輪）
４  固定部材（外輪）
６  転動体
１０  識別構造
１１  収納空間
１２  着色の流体
１３  摺接面
１４ａ  引張応力の掛かる面
Ｓ  シール
ＳＲ１  第一のシールリップ
ＳＲ２  第二のシールリップ
ＳＲ３  第三のシールリップ
【図１】
2008025806.tif 000003
【図２】
2008025806.tif 000004
【図３】
2008025806.tif 000005
【図４】
2008025806.tif 000006
【図５】
2008025806.tif 000007
【図６】
2008025806.tif 000008
【図７】
2008025806.tif 000009
【図８】
2008025806.tif 000010